(57)【要約】【課題】検査に影響が及んでしまうこと等を防止できるとともに、一般の画像処理ソフトを用いた処理を可能としつつ、検査用画像データに対し属性情報を含ませることができ、データ管理の簡略化や処理負担の軽減を図ることができる検査装置等を提供する。【解決手段】検査装置は、被検査部に係る検査用画像のデータである検査用画像データに基づき、被検査部の良否を判定する良否判定手段を備える。検査用画像データは、前記良否判定手段による判定の対象となる検査対象領域ＴＡ２に対応する各画素のデータと、検査対象領域ＴＡ２以外の領域である非検査対象領域ＴＢ２に対応する各画素のデータとを含む。検査装置は、非検査対象領域ＴＢ２に対応する各画素のデータの少なくとも一部を、検査に関する属性情報に書き換える。【選択図】      図１１
2018096700.tif 000002
【特許請求の範囲】
【請求項１】
容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記撮像手段を用いて得られた、前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段を具備することを特徴とする検査装置。
【請求項２】
前記検査用画像は矩形状をなしており、当該検査用画像において、前記検査対象領域は、角部が丸みを帯びた矩形状をなすとともに、前記非検査対象領域は、当該検査用画像の四隅であって当該検査対象領域における前記角部よりも外側に位置しており、
前記属性情報追加手段は、前記検査用画像の四隅に位置する前記非検査対象領域に対応する各画素のデータの少なくとも一部を、前記属性情報に書き換えることを特徴とする請求項１に記載の検査装置。
【請求項３】
前記非検査対象領域に対応する各画素のデータの少なくとも一部を、前記検査用画像データにおける各画素のデータのエラーをチェックするためのチェック用情報に書き換えるチェック用情報追加手段を備えることを特徴とする請求項１又は２に記載の検査装置。
【請求項４】
前記検査用画像は矩形状をなしており、当該検査用画像において、前記非検査対象領域は、当該検査用画像の端に位置するとともに、当該検査用画像の高さ方向全域及び幅方向全域の少なくとも一方に延びる領域とされており、
前記チェック用情報追加手段は、
前記非検査対象領域が前記高さ方向全域に延びる場合、当該非検査対象領域に対応する一列分の画素のデータのそれぞれを、同じ行に位置するその他の各画素におけるデータのエラーをチェックするための前記チェック用情報に書き換えること、及び、前記非検査対象領域が前記幅方向全域に延びる場合、当該非検査対象領域に対応する一行分の画素のデータのそれぞれを、同じ列に位置するその他の各画素におけるデータのエラーをチェックするための前記チェック用情報に書き換えること
の少なくとも一方を行うように構成されていることを特徴とする請求項３に記載の検査装置。
【請求項５】
請求項１乃至４のいずれか１項に記載の検査装置を備えることを特徴とするＰＴＰ包装機。
【発明の詳細な説明】
【技術分野】
【０００１】
本発明は、ＰＴＰシート又は最終的にＰＴＰシートとなる部位の検査に用いられる検査装置、及び、当該検査装置を有するＰＴＰ包装機に関する。
【背景技術】
【０００２】
ＰＴＰシートは、錠剤やカプセル等の内容物が収容されるポケット部の形成された容器フィルムと、その容器フィルムに対しポケット部の開口側を密封するように取着されるカバーフィルムとを備えている。
【０００３】
ＰＴＰシートは、ＰＴＰ包装機により製造される。ＰＴＰ包装機は、帯状の容器フィルムに対しポケット部を形成するポケット部形成手段、ポケット部に内容物を充填する充填手段、容器フィルムに対しカバーフィルムを取着し、帯状のＰＴＰフィルムを得るシール手段、及び、ＰＴＰフィルムをシート単位に打抜き、ＰＴＰシートを得るシート打抜手段などを有する。
【０００４】
また、ＰＴＰシートの製造過程においては、容器フィルムの搬送経路に沿って検査装置が設けられる。検査装置によって、ＰＴＰシート又は最終的にＰＴＰシートとなる部位である被検査部（例えば、内容物や容器フィルム等）が検査される。検査装置は、被検査部に光を照射する照射手段、光の照射された被検査部を撮像する撮像手段、及び、良否判定手段を備えている。良否判定手段は、撮像手段を用いて得られた検査用画像データに基づき被検査部の良否を判定する。検査用画像データは、被検査部などの撮像画像（検査用画像）のデータであり、検査用画像データには、検査用画像の画素ごとのデータ（例えば、輝度データ）が含まれている。良否判定手段は、この画素ごとのデータに基づき欠陥の有無を検出することで、被検査部の良否を判定する。
【０００５】
さらに近年では、検査にて不良判定がなされた場合に、不良判定された被検査部に係る検査用画像データと、不良判定された検査項目や検査条件、検査日時などの検査に係る情報（属性情報）とを関連付けた上で記憶しておく手法が提案されている（例えば、特許文献１等参照）。
【０００６】
ところで、検査用画像データ及び属性情報を関連付けた上で記憶するにあたっては、通常、検査用画像データ及び属性情報を別々のファイルで記憶しておき、これらを関連付けるためのデータや処理を別途用意しておく必要がある。しかしながら、この場合には、検査用画像データ及び属性情報に係るファイルの数が非常に多くなってしまい、データ管理の煩雑化や処理負担の増大を招いてしまうおそれがある。
【０００７】
そこで、データ管理の簡略化や処理負担の軽減を図るべく、画像データの対応ピクセル（画素に係るデータ）に対し二次元コード情報を埋め込む技術（例えば、特許文献２等参照）を利用し、検査用画像データにおける画素のデータに対し属性情報を埋め込むことで、検査用画像データ及び属性情報を１つのファイルにまとめることが考えられる。
【先行技術文献】
【特許文献】
【０００８】
【特許文献１】特開２０１５−２００５９５号公報
【特許文献２】特開２０１１−１０１１３８号公報
【発明の概要】
【発明が解決しようとする課題】
【０００９】
しかしながら、検査用画像データにおける画素のデータに対し属性情報を単に埋め込んでしまうと、検査用画像データにおける各画素のデータに変化が生じてしまう。各画素のデータに変化が生じてしまうと、その影響が検査に及んでしまったり、検査結果と検査用画像データとの整合が取れなくなってしまったりするおそれがある。
【００１０】
これに対し、検査用画像データのヘッダ情報に対し属性情報を書き込むことで、検査用画像データに対し属性情報を含ませることが考えられる。しかしながら、一般の画像処理ソフトを用いて検査用画像データの処理（画像の表示や編集など）を行うためには、検査用画像データが一定のフォーマットに従って作成されている必要がある。そのため、ヘッダ情報に対し属性情報を書き込んでしまうと、一般の画像処理ソフトを用いた検査用画像データの処理に支障が生じてしまうおそれがある。
【００１１】
本発明は、上記事情に鑑みてなされたものであり、その目的は、検査に影響が及んでしまうこと等を防止できるとともに、一般の画像処理ソフトを用いた処理を可能としつつ、検査用画像データに対し属性情報を含ませることができ、データ管理の簡略化や処理負担の軽減を図ることができる検査装置及びＰＴＰ包装機を提供することにある。
【課題を解決するための手段】
【００１２】
以下、上記目的を解決するのに適した各手段につき、項分けして説明する。なお、必要に応じて対応する手段に特有の作用効果を付記する。
【００１３】
手段１．容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記撮像手段を用いて得られた、前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段を具備することを特徴とする検査装置。
【００１４】
尚、「属性情報」としては、例えば、検査装置において行われる検査の種類、検査の日時、ＰＴＰシートや内容物の通し番号（撮像順を示す番号）、検査用画像データがカラー又はモノクロであることを示す情報、検査結果に関する情報、シート部分（容器フィルムなどにおける最終的にＰＴＰシートとなる部分）の位置追従情報（シート部分の位置ずれ補正量）や明るさの補正量などの各種補正に係る情報、シート部分における内容物の位置情報、撮像手段の制御に係る情報（例えば、ゲインなど）、再検査に必要な情報（例えば、二値化処理に用いた閾値など）、及び、内容物や容器フィルム等の品種に関する情報などを挙げることができる。
【００１５】
上記手段１によれば、検査用画像データに対し属性情報を含ませることができ、検査用画像データ及び属性情報を１つのファイルにまとめることができる。そのため、データ管理の簡略化や処理負担の軽減を図ることができる。
【００１６】
また、上記手段１によれば、検査用画像データのうち非検査対象領域に対応する各画素のデータ（例えば、輝度データ）が、属性情報に書き換えられる。ここで、非検査対象領域は、良否判定手段による判定の対象ではないため、この非検査対象領域に対応する画素のデータを書き換えたとしても、その影響が検査に及んでしまったり、検査結果と検査用画像データとの整合が取れなくなってしまったりするといったことはない。また、ヘッダ情報ではなく、各画素のデータ、つまり、検査用画像データの本体に当たるデータを書き換えるため、一般の画像処理ソフトを用いて検査用画像データを処理することが可能となる。
【００１７】
手段２．前記検査用画像は矩形状をなしており、当該検査用画像において、前記検査対象領域は、角部が丸みを帯びた矩形状をなすとともに、前記非検査対象領域は、当該検査用画像の四隅であって当該検査対象領域における前記角部よりも外側に位置しており、
前記属性情報追加手段は、前記検査用画像の四隅に位置する前記非検査対象領域に対応する各画素のデータの少なくとも一部を、前記属性情報に書き換えることを特徴とする手段１に記載の検査装置。
【００１８】
ＰＴＰシートは、平面視したときに、角部が丸みを帯びた矩形状であることが多い。そのため、検査対象領域を、角部が丸みを帯びた矩形状とすることが多い。
【００１９】
一方、検査用画像は、通常、矩形状をなすものとされる。従って、検査用画像の四隅であって検査対象領域における角部よりも外側の位置には、比較的広い非検査対象領域が形成されることが多い。
【００２０】
この点を利用して、上記手段２によれば、検査用画像の四隅に位置する非検査対象領域に係る画素のデータが、属性情報に書き換えられる。従って、検査用画像データにおいて、属性情報を書き込むための記憶領域をより確実に一定位置に確保することができる。これにより、例えば、検査用画像の四隅に対応する予め設定された一定の画素データを属性情報の書き込み対象とするといった処理を行うことができる。すなわち、属性情報の書き込み対象を、検査対象領域の占める範囲を特段考慮することなく設定するといったことが可能となる。また、属性情報の読み込み処理として、予め設定された一定の書き込み対象から情報を読み込むといった処理を採用することができる。従って、属性情報の書き込みや読み込みに係る処理などの簡素化を図ることができ、処理負担の軽減を効果的に図ることができる。
【００２１】
手段３．前記非検査対象領域に対応する各画素のデータの少なくとも一部を、前記検査用画像データにおける各画素のデータのエラーをチェックするためのチェック用情報に書き換えるチェック用情報追加手段を備えることを特徴とする手段１又は２に記載の検査装置。
【００２２】
上記手段３によれば、チェック用情報を利用することで、検査用画像データにおける情報の信頼性をより確実に担保することができる。その結果、検査に係る信頼性の向上を図ることができる。
【００２３】
また、非検査対象領域に係る画素のデータがチェック用情報に書き換えられるため、チェック用情報への書き換えに伴い、その影響が検査に及んでしまったり、検査結果と検査用画像データとの整合が取れなくなってしまったりするといった不具合が生じることはない。
【００２４】
手段４．前記検査用画像は矩形状をなしており、当該検査用画像において、前記非検査対象領域は、当該検査用画像の端に位置するとともに、当該検査用画像の高さ方向全域及び幅方向全域の少なくとも一方に延びる領域とされており、
前記チェック用情報追加手段は、
前記非検査対象領域が前記高さ方向全域に延びる場合、当該非検査対象領域に対応する一列分の画素のデータのそれぞれを、同じ行に位置するその他の各画素におけるデータのエラーをチェックするための前記チェック用情報に書き換えること、及び、前記非検査対象領域が前記幅方向全域に延びる場合、当該非検査対象領域に対応する一行分の画素のデータのそれぞれを、同じ列に位置するその他の各画素におけるデータのエラーをチェックするための前記チェック用情報に書き換えること
の少なくとも一方を行うように構成されていることを特徴とする手段３に記載の検査装置。
【００２５】
上記手段４によれば、非検査対象領域に対応する一行分や一列分の各画素のデータが、当該画素と同じ列や同じ行におけるデータのエラーをチェックするためのチェック用情報に書き換えられる。従って、各画素のデータを行ごと又は列ごとにチェックすることができる。これにより、検査用画像データにおける情報の信頼性をより一層確実に担保することができ、検査に係る信頼性をさらに向上させることができる。
【００２６】
手段５．手段１乃至４のいずれかに記載の検査装置を備えることを特徴とするＰＴＰ包装機。
【００２７】
上記手段５によれば、基本的には上記手段１等と同様の作用効果が奏されることとなる。
【図面の簡単な説明】
【００２８】
【図１】ＰＴＰシートの斜視図である。
【図２】ＰＴＰシートの一部破断拡大正面図である。
【図３】ＰＴＰフィルムの斜視図である。
【図４】ＰＴＰ包装機の概略構成を示す模式図である。
【図５】第一検査装置及び第二検査装置の電気的構成を示すブロック図である。
【図６】シート部分の通し番号を説明するための模式図である。
【図７】第一検査装置にて記憶される検査用画像データを示す図である。
【図８】第一検査装置における検査用画像を示す模式図である。
【図９】第二検査装置における検査用画像データの取得手法を説明するための模式図である。
【図１０】第二検査装置にて記憶される検査用画像データを示す図である。
【図１１】第二検査装置における検査用画像を示す模式図である。
【発明を実施するための形態】
【００２９】
以下、一実施形態について図面を参照しつつ説明する。
【００３０】
まず、ＰＴＰシート１について説明する。図１及び図２に示すように、ＰＴＰシート１は、複数のポケット部２を備えた容器フィルム３と、ポケット部２を塞ぐようにして容器フィルム３に取着されたカバーフィルム４とを有している。
【００３１】
容器フィルム３は、例えば、ＰＰ（ポリプロピレン）やＰＶＣ（ポリ塩化ビニル）等の比較的硬質で所定の剛性を有する透明又は半透明の熱可塑性樹脂材料によって構成されている。カバーフィルム４は、例えばポリエステル樹脂等からなるシーラントが表面に塗布された不透明材料（例えば、アルミニウム箔等）により構成されている。
【００３２】
ＰＴＰシート１は、角部が丸みを帯びた矩形状をなしており、シート長手方向に沿って配列された５個のポケット部２からなるポケット列が、シート短手方向に２列形成されている。つまり、計１０個のポケット部２が形成されている。各ポケット部２には、内容物としての錠剤５が１つずつ収容されている。
【００３３】
ＰＴＰシート１は、帯状の容器フィルム３及びカバーフィルム４から形成された帯状のＰＴＰフィルム６（図３参照）が打抜かれることで、シート状に製造される。
【００３４】
次に、上記ＰＴＰシート１を製造するためのＰＴＰ包装機１１の概略について図４を参照して説明する。
【００３５】
ＰＴＰ包装機１１の最上流側では、帯状の容器フィルム３の原反がロール状に巻回されている。ロール状に巻回された容器フィルム３の引出し端側は、ガイドロール１３に案内されている。容器フィルム３は、ガイドロール１３の下流側において間欠送りロール１４に掛装されている。間欠送りロール１４は、間欠的に回転するモータに連結されており、容器フィルム３を間欠的に搬送する。
【００３６】
ガイドロール１３と間欠送りロール１４との間には、容器フィルム３の搬送経路に沿って、加熱装置１５及びポケット部形成装置１６が順に配設されている。そして、加熱装置１５によって容器フィルム３が加熱されて該容器フィルム３が比較的柔軟になった状態において、ポケット部形成装置１６によって容器フィルム３の所定位置に複数のポケット部２が成形される。ポケット部２の成形は、間欠送りロール１４による容器フィルム３の搬送動作間のインターバルの際に行われる。
【００３７】
間欠送りロール１４から送り出された容器フィルム３は、テンションロール１８、ガイドロール１９及びフィルム受けロール２０の順に掛装されている。フィルム受けロール２０は、一定回転するモータに連結されているため、容器フィルム３を連続的に且つ一定速度で搬送する。テンションロール１８は、容器フィルム３を弾性力によって緊張する側へ引っ張った状態とされており、前記間欠送りロール１４とフィルム受けロール２０との搬送動作の相違による容器フィルム３の弛みを防止して容器フィルム３を常時緊張状態に保持する。
【００３８】
ガイドロール１９とフィルム受けロール２０との間には、容器フィルム３の搬送経路に沿って、錠剤充填装置２１が配設されている。錠剤充填装置２１は、ポケット部２に錠剤５を自動的に充填する充填手段としての機能を有する。錠剤充填装置２１は、フィルム受けロール２０による容器フィルム３の搬送動作と同期して、所定間隔毎にシャッタを開くことで錠剤５を落下させるものであり、このシャッタ開放動作に伴って各ポケット部２に錠剤５が充填される。
【００３９】
さらに、錠剤充填装置２１とフィルム受けロール２０との間には、シール前検査部２２が設けられている。シール前検査部２２には、上流側より順に、それぞれ検査装置としての第一検査装置Ｔ１及び第二検査装置Ａが設けられている。これら各検査装置Ｔ１，Ａにより、錠剤５や容器フィルム３（シート部分）に関する欠陥の有無が検査される。各検査装置Ｔ１，Ａのより詳細な構成に関しては後述する。
【００４０】
一方、帯状に形成されたカバーフィルム４の原反は、最上流側においてロール状に巻回されている。
【００４１】
ロール状に巻回されたカバーフィルム４の引出し端は、ガイドロール２４によって加熱ロール２５の方へと案内されている。加熱ロール２５は、前記フィルム受けロール２０に圧接可能となっており、両ロール２０，２５間に容器フィルム３及びカバーフィルム４が送り込まれるようになっている。そして、容器フィルム３及びカバーフィルム４が、両ロール２０，２５間を加熱圧接状態で通過することで、容器フィルム３にカバーフィルム４が貼着され、ポケット部２がカバーフィルム４で塞がれる。これにより、錠剤５が各ポケット部２に充填されたＰＴＰフィルム６が製造される。
【００４２】
フィルム受けロール２０から送り出されたＰＴＰフィルム６は、テンションロール２７及び間欠送りロール２８の順に掛装されている。間欠送りロール２８は、間欠的に回転するモータに連結されているため、ＰＴＰフィルム６を間欠的に搬送する。テンションロール２７は、ＰＴＰフィルム６を弾性力によって緊張する側へ引っ張った状態とされており、前記フィルム受けロール２０と間欠送りロール２８との搬送動作の相違によるＰＴＰフィルム６の弛みを防止してＰＴＰフィルム６を常時緊張状態に保持する。
【００４３】
間欠送りロール２８から送り出されたＰＴＰフィルム６は、テンションロール３１及び間欠送りロール３２の順に掛装されている。間欠送りロール３２は、間欠的に回転するモータに連結されているため、ＰＴＰフィルム６を間欠的に搬送する。テンションロール３１は、ＰＴＰフィルム６を弾性力によって緊張する側へ引っ張った状態とされており、前記間欠送りロール２８，３２間でのＰＴＰフィルム６の弛みを防止する。
【００４４】
間欠送りロール２８とテンションロール３１との間には、ＰＴＰフィルム６の搬送経路に沿って、スリット形成装置３３及び刻印装置３４が順に配設されている。スリット形成装置３３は、ＰＴＰフィルム６の所定位置に切離用スリットを形成する機能を有する。刻印装置３４は、ＰＴＰフィルム６の所定位置（例えばタグ部）に刻印を付す機能を有する。
【００４５】
間欠送りロール３２から送り出されたＰＴＰフィルム６は、その下流側においてテンションロール３５及び連続送りロール３６の順に掛装されている。間欠送りロール３２とテンションロール３５との間には、ＰＴＰフィルム６の搬送経路に沿って、シート打抜装置３７が配設されている。シート打抜装置３７は、ＰＴＰフィルム６をＰＴＰシート１単位にその外縁を打抜く機能を有する。
【００４６】
シート打抜装置３７によって打抜かれたＰＴＰシート１は、取出しコンベア３８によって搬送され、完成品用ホッパ３９に一旦貯留される。尚、各検査装置Ｔ１，Ａのいずれかによって不良判定された場合、取出しコンベア３８の搬送経路に沿って設けられた不良シート排出機構４０に不良品信号が送られる。これにより、不良判定されたＰＴＰシート１は、不良シート排出機構４０によって別途排出され、図示しない不良品ホッパに移送される。
【００４７】
前記連続送りロール３６の下流側には、裁断装置４１が配設されている。そして、シート打抜装置３７による打抜き後に帯状に残った残材部（スクラップ部）を構成する不要フィルム部４２は、前記テンションロール３５及び連続送りロール３６に案内された後、裁断装置４１に導かれる。尚、前記連続送りロール３６は従動ロールが圧接されており、前記不要フィルム部４２を挟持しながら搬送動作を行う。裁断装置４１は、不要フィルム部４２を所定寸法に裁断しスクラップ処理する機能を有する。このスクラップはスクラップ用ホッパ４３に貯留された後、別途廃棄処理される。
【００４８】
尚、上記各ロール１４，１９，２０，２８，３１，３２などは、そのロール表面とポケット部２とが対向する位置関係となっているが、各ロール１４等の表面には、ポケット部２が収容される凹部が形成されているため、基本的には、ポケット部２が潰れてしまうことがない。また、ポケット部２が各ロール１４等の凹部に収容されながら送り動作が行われることで、間欠送り動作や連続送り動作が確実に行われる。
【００４９】
次いで、第一検査装置Ｔ１及び第二検査装置Ａの具体的な構成について図５を参照しつつ説明する。
【００５０】
第一検査装置Ｔ１は、シール前に容器フィルム３のポケット部２突出部側（錠剤５の表面側）から検査を行う透過光式の検査装置である。第一検査装置Ｔ１は、錠剤５における欠陥の有無を検査する。
【００５１】
第二検査装置Ａは、シール前に容器フィルム３のポケット部２突出部側及び開口部側（錠剤５の表裏面側）から検査を行う透過光式及び反射光式の両機能を備えた検査装置である。第二検査装置Ａは、錠剤５や容器フィルム３（シート部分）における欠陥の有無を検査する。
【００５２】
また、各検査装置Ｔ１，Ａは、それぞれ照射手段としての照明装置６０、撮像手段としてのカメラ６１、及び、良否判定手段としての処理実行装置６２を備えている。
【００５３】
照明装置６０は、ポケット部２の開口部側又は突出部側から、錠剤５及び容器フィルム３のうち最終的にＰＴＰシート１となる部位に対し所定の光を照射する。本実施形態では、錠剤５及び容器フィルム３における最終的にＰＴＰシート１となる部位が、被検査部に相当する。
【００５４】
第一検査装置Ｔ１の照明装置６０は、容器フィルム３のポケット部２開口部側に配置されており、近赤外光を照射する。第二検査装置Ａの照明装置６０は、容器フィルム３のポケット部２突出部側及び開口部側に１つずつ配置されており、可視光を照射する。
【００５５】
カメラ６１は、照明装置６０から照射される光の波長領域に感度を有するものである。
【００５６】
第一検査装置Ｔ１のカメラ６１としては、近赤外光に感度を有するＣＣＤカメラが採用されている。第一検査装置Ｔ１のカメラ６１は、容器フィルム３のポケット部２突出部側に設けられており、照明装置６０から照射される光（近赤外光）のうち、容器フィルム３を透過した光を撮像する。
【００５７】
一方、第二検査装置Ａのカメラ６１としては、色識別可能なカラーＣＣＤカメラが採用されている。第二検査装置Ａのカメラ６１は、容器フィルム３のポケット部２開口部側に２つ設けられている。そして、ポケット部２突出部側の照明装置６０から照射される光のうち、容器フィルム３を透過した光が一方のカメラ６１により二次元撮像され、ポケット部２開口部側の照明装置６０から照射される光のうち、錠剤５に反射した光が他方のカメラ６１（カラーＣＣＤカメラ）により二次元撮像される構成となっている。
【００５８】
そして、カメラ６１によって得られた一次画像データ（輝度画像データ又はカラー画像データ）は、処理実行装置６２に入力される。処理実行装置６２は、演算手段としてのＣＰＵや、各種プログラムを記憶するＲＯＭ、演算データや入出力データなどの各種データを一時的に記憶するＲＡＭなどを備えた、いわゆるコンピュータシステムとして構成されている。処理実行装置６２は、画像メモリ６３、検査結果記憶装置６４、判定用メモリ６５、画像・検査条件記憶装置６６、カメラタイミング制御装置６７、及び、ＣＰＵ及び入出力インターフェース６８を備えている。
【００５９】
画像メモリ６３は、カメラ６１によって撮像された一次画像データなどを記憶する。この画像メモリ６３に記憶されたデータに基づいて検査が実行される。勿論、検査の実行に際し、データに対し画像処理を施してもよい。例えばマスキング処理や、シェーディング補正などの処理を施すことが考えられる。シェーディング補正は、容器フィルム３等の撮像範囲全体を照明装置６０の光で均一に照らすことは技術的に限界があることから、位置の相違により生じる光の明度のばらつきを補正するためのものである。尚、一次画像データから被検査部等を矩形状に切り出して得た後述する検査用画像データや、二値化処理を行うことで得た二値化画像データ、マスキング処理を行うことで得たマスキング画像データなども画像メモリ６３に記憶される。
【００６０】
検査結果記憶装置６４は、画像に関する座標等のデータ、被検査部に対する良否判定結果のデータ、及び、該データを確率統計的に処理した統計データなどを記憶するものである。これらの良否判定結果のデータや統計データは、後述する表示装置５２にて表示させることができるようになっている。
【００６１】
判定用メモリ６５は、検査に用いられる判定値（閾値等）を記憶するものである。判定値は、検査内容毎に設定される。検査に用いられる判定値には、例えばＰＴＰシート１やポケット部２、錠剤５などの寸法、各種検査領域を画定するための各種ウインドウ枠の形状や寸法、二値化処理に係る輝度閾値、面積判定に係る判定値、色識別検査に係る色基準値などが含まれる。判定値の中には、錠剤面積値を検査するための判定値など、過去の検査で良品と判定されたものについての検査計測結果を統計して決定される判定値もある。
【００６２】
画像・検査条件記憶装置６６は、例えば、ハードディスク装置により構成されている。画像・検査条件記憶装置６６には、検査によって不良と判定された検査内容、不良判定の日時、画像データ、検査に用いられた検査条件などが記憶される。
【００６３】
カメラタイミング制御装置６７は、カメラ６１の撮像タイミングを制御する。かかる撮像タイミングはＰＴＰ包装機１１に設けられた図示しないエンコーダからの信号に基づいて制御され、容器フィルム３を所定量送るごとにカメラ６１による撮像が行われる。
【００６４】
ＣＰＵ及び入出力インターフェース６８は、検査装置Ｔ１，Ａにおける各種制御を司る。ＣＰＵ及び入出力インターフェース６８は、錠剤５及び容器フィルム３に対する検査処理などの各種処理プログラムを判定用メモリ６５の記憶内容などを使用しつつ実行する。
【００６５】
さらに、ＣＰＵ及び入出力インターフェース６８は、図６に示すように、一次画像データにおけるポケット部２や錠剤５の位置に基づいて、容器フィルム３のうち最終的にＰＴＰシート１となる部位（シート部分ＳＰ）を特定する。シート部分ＳＰは、ＰＴＰシート１と同様に角部が丸みを帯びた矩形状をなしている。そして、特定されたシート部分ＳＰに対し、搬送順序に従った通し番号ＬＡ１，ＬＢ１，ＬＡ２，ＬＢ２，ＬＡ３，ＬＢ３…を設定する。通し番号は、搬送方向上流側に向けて１つずつ増大していく態様となる。また、各錠剤５に対してもそれぞれ通し番号が設定される。
【００６６】
上述した各検査装置Ｔ１，Ａは、所定の検査用画像データを得た上で、当該検査用画像データに基づき検査を行う。また、各検査装置Ｔ１，Ａは、得られた検査用画像データの一部を後述する属性情報などに書き換える処理を行う。
【００６７】
次いで、検査用画像データの取得手法、及び、当該検査用画像データを用いて得られる検査用画像の態様について説明する。検査用画像データ及び検査用画像は各検査装置Ｔ１，Ａで異なる。まず、第一検査装置Ｔ１に係るこれらについて説明する。
【００６８】
第一検査装置Ｔ１は、検査用画像データを取得する際に、まず、処理実行装置６２によって、一次画像データにおける錠剤５の存在領域を特定する。これは、一次画像データから得られるポケット部２等の位置に基づいて行われる。そして、一次画像データから少なくとも錠剤５及びその周辺に対応する一定のデータを抽出することで、検査用画像データＤ１を取得する。この検査用画像データＤ１は、図７に示すように、ヘッダ情報を記憶するためのヘッダフィールドＨ１と、当該ヘッダフィールドＨ１に続き、各画素の輝度値を記憶するための本体フィールドＭ１とを備えている。前記本体フィールドＭ１において、各画素の輝度値は、例えば８ｂｉｔで表されている。検査用画像データＤ１は、錠剤５ごとに得られ、各検査用画像データＤ１は、それぞれ１つのファイルで画像メモリ６３に記憶される。
【００６９】
また、検査用画像データＤ１によって示される検査用画像Ｇ１は、図８に示すように、矩形状をなしており、錠剤５の占める範囲に対応する検査対象領域ＴＡ１と、それ以外の範囲に対応する非検査対象領域ＴＢ１（散点模様を付した部分）とが存在している。検査対象領域ＴＡ１は、第一検査装置Ｔ１の処理実行装置６２による良否判定の対象となる領域であり、非検査対象領域ＴＢ１は、良否判定の対象とならない領域である。検査用画像データＤ１には、検査対象領域ＴＡ１に対応する各画素のデータと、非検査対象領域ＴＢ１に対応する各画素のデータとが含まれている。さらに、非検査対象領域ＴＢ１は、検査用画像Ｇ１の端に位置し、検査用画像Ｇ１の高さ方向全域及び幅方向全域に亘る領域とされている。
【００７０】
次いで、第二検査装置Ａに係る、検査用画像データの取得手法、及び、当該検査用画像データを用いて得られる検査用画像の態様について説明する。
【００７１】
第二検査装置Ａは、検査用画像データを取得する際に、まず、処理実行装置６２によって、図９に示すように、容器フィルム３における最終的にＰＴＰシート１となる領域（シート部分ＳＰ）を特定する。これは、一次画像データにおけるポケット部２や錠剤５の位置に基づき行われる。そして、一次画像データにおいて、予め設定されたウィンドウ枠Ｗ内の所定位置に前記シート部分ＳＰが配置されるようにシート部分ＳＰの位置を補正する。シート部分ＳＰの位置ずれ補正量が、後述するシート部分ＳＰの位置追従情報である。その上で、一次画像データから、ウインドウＷ内に位置する部分に対応するデータを抽出することで、検査用画像データＤ２を取得する。
【００７２】
検査用画像データＤ２は、図１０に示すように、ヘッダ情報を記憶するためのヘッダフィールドＨ２と、当該ヘッダフィールドＨ２に続き、各画素におけるＲＧＢ成分の値を記憶するための本体フィールドＭ２とを備えている。本体フィールドＭ２において、ＲＧＢ成分の値は、成分ごとに例えば８ｂｉｔで表されている。検査用画像データＤ２は、シート部分ＳＰごとに得られ、各検査用画像データＤ２は、それぞれ１つのファイルで画像メモリ６３に記憶される。
【００７３】
また、検査用画像データＤ２によって示される検査用画像Ｇ２は、図１１に示すように、矩形状をなしており、シート部分ＳＰの占める範囲に対応する検査対象領域ＴＡ２と、それ以外の範囲に対応する非検査対象領域ＴＢ２（散点模様を付した部分）とが存在している。検査対象領域ＴＡ２は、第二検査装置Ａの処理実行装置６２による良否判定の対象となる領域であり、非検査対象領域ＴＢ２は、良否判定の対象とならない領域である。検査用画像データＤ２には、検査対象領域ＴＡ２に対応する各画素のデータと、非検査対象領域ＴＢ２に対応する各画素のデータとが含まれている。
【００７４】
加えて、非検査対象領域ＴＢは、検査用画像Ｇ２の四隅であって検査対象領域ＴＡ２における丸みを帯びた角部よりも外側に位置している。また、非検査対象領域ＴＢ２は、検査用画像Ｇ２の端に位置し、検査用画像Ｇ２の高さ方向全域及び幅方向全域に亘る領域とされている。
【００７５】
さらに、各検査装置Ｔ１，Ａの処理実行装置６２は、検査用画像データＤ１，Ｄ２における非検査対象領域ＴＢ１，ＴＢに対応する各画素のデータの少なくとも一部を、所定の属性情報に書き換える。すなわち、各検査装置Ｔ１，Ａの処理実行装置６２は、それぞれ属性情報追加手段に相当する。本実施形態において、属性情報への書き換えは、後述する検査処理の後に行われる。勿論、検査処理の前に、属性情報への書き換えを行ってもよい。
【００７６】
まず、第一検査装置Ｔ１における属性情報への書き換え処理について説明する。第一検査装置Ｔ１では、検査用画像データＤ１における所定の記憶フィールドＲ１（図７参照）のアドレスに関する情報が予め設定されている。この記憶フィールドＲ１は、属性情報の書き込み対象である。本実施形態において、記憶フィールドＲ１には、非検査対象領域ＴＢ１のうち、検査用画像Ｇ１の右上に位置する属性情報領域Ｚ１（図８参照）に対応する画素のデータが記憶されている。そして、第一検査装置Ｔ１の処理実行装置６２は、記憶フィールドＲ１における所定数の画素のデータを属性情報に書き換える。
【００７７】
次いで、第二検査装置Ａにおける属性情報への書き換え処理について説明する。第二検査装置Ａには、検査用画像データＤ２における所定の記憶フィールドＲ２（図１０参照）のアドレスに関する情報が予め入力されている。この記憶フィールドＲ２は、属性情報の書き込み対象である。本実施形態において、記憶フィールドＲ２には、非検査対象領域ＴＢ２のうち、検査用画像Ｇ２の右上であって検査対象領域ＴＡ２における丸みを帯びた角部よりも外側に位置する属性情報領域Ｚ２（図１１参照）に対応する画素のデータが記憶されている。そして、第二検査装置Ａの処理実行装置６２は、記憶フィールドＲ２における所定数の画素のデータを属性情報に書き換える。尚、属性情報に書き換えられるデータ数は、適宜変更可能である。
【００７８】
属性情報としては、例えば、各検査装置Ｔ１，Ａにおいて行われる検査の種類、検査の日時、シート部分ＳＰ（ＰＴＰシート１）や錠剤５の通し番号、検査用画像データＤ１，Ｄ２がカラー又はモノクロであることを示す情報、検査結果に関する情報、シート部分ＳＰの位置追従情報や明るさの補正量などの各種補正に係る情報、シート部分ＳＰにおける錠剤５の位置情報、カメラ６１の制御に係る情報（例えば、ゲインなど）、再検査に必要な情報（例えば、二値化処理に用いた輝度閾値など）、及び、錠剤５や容器フィルム３等の品種に関する情報などを挙げることができる。本実施形態では、属性情報として、検査の種類、検査の日時、及び、シート部分ＳＰ又は錠剤５の通し番号が記憶されるようになっている。
【００７９】
さらに、各検査装置Ｔ１，Ａの処理実行装置６２は、非検査対象領域ＴＢ１，ＴＢ２に対応する各画素のデータの少なくとも一部を、検査用画像データＤ１，Ｄ２における各画素のデータのエラーをチェックするためのチェック用情報に書き換える。すなわち、各検査装置Ｔ１，Ａの処理実行装置６２は、それぞれチェック用情報追加手段に相当する。本実施形態において、チェック用情報への書き換えは、後述する検査処理の後に行われる。勿論、検査処理の前に、チェック用情報への書き換えを行ってもよい。
【００８０】
チェック用情報への書き換えに関し説明すると、各検査装置Ｔ１，Ａでは、検査用画像データＤ１，Ｄ２における所定のチェック用情報記憶フィールドＣ１，Ｃ２（図７，１０参照）のアドレスに関する情報が予め設定されている。チェック用情報記憶フィールドＣ１，Ｃ２は、チェック用情報の書き込み対象である。チェック用情報記憶フィールドＣ１，Ｃ２には、チェック用領域Ｙ１，Ｙ２（図８，１１参照）に対応する画素のデータが記憶されている。本実施形態において、チェック用領域Ｙ１，Ｙ２は、非検査対象領域ＴＢ１，ＴＢ２のうち、検査用画像Ｇ１，Ｇ２の最下部に位置し検査用画像Ｇ１，Ｇ２の幅方向全域に亘る領域であって、一行分の画素に対応する領域とされている。そして、両検査装置Ｔ１，Ａの処理実行装置６２は、チェック用情報記憶フィールドＣ１，Ｃ２における一行分の画素のデータを、それぞれチェック用情報に書き換える。
【００８１】
チェック用情報は、チェックサムを行うための情報である。本実施形態において、チェック用情報は、チェック用情報記憶フィールドＣ１，Ｃ２のデータを除いた、各列における画素のデータ（輝度値）を合計した値の下二けたとされている。例えば、チェック用情報記憶フィールドＣ１におけるある画素のデータは、当該画素と同じ列に位置するその他の各画素におけるデータを合計した値の下二けたとされている。チェック用情報によって、各画素のデータを列ごとにチェックすることができる。尚、チェック用情報は、例えば、前記合計した値が偶数又は奇数であることを示す情報などであってもよい。
【００８２】
属性情報やチェック用情報への書き換えが完了した各検査用画像データＤ１，Ｄ２は、それぞれ１つのファイルで画像メモリ６３に記憶される。つまり、検査用画像データＤ１，Ｄ２、属性情報及びチェック用情報が、１つのファイルにまとめられた状態で画像メモリに記憶される。
【００８３】
さらに、各検査装置Ｔ１，Ａは、検査用画像データＤ１，Ｄ２に基づき、錠剤５や容器フィルム３の検査を行う。本実施形態において、検査に用いる検査用画像データＤ１，Ｄ２は、属性情報やチェック用情報への書き換え前のものであるが、書き換え後のものであっても何ら支障はない。
【００８４】
各検査装置Ｔ１，Ａの処理実行装置６２は、錠剤５や容器フィルム３に対する検査処理として、非検査対象領域ＴＢ１，ＴＢ２に対するマスキング処理、マスキング処理後に残った検査対象領域ＴＡ１，ＴＡ２に対する二値化処理、二値化処理により得られた二値化画像データに対する塊処理、及び、塊処理により得られた塊部分の数や面積、位置などに基づき欠陥部分の有無を判定する欠陥有無判定処理などを行う。そして、各検査装置Ｔ１，Ａの処理実行装置６２は、欠陥部分が存在していた場合に、被検査部に対応するＰＴＰシート１を不良と判定する。一方、各検査装置Ｔ１，Ａは、欠陥部分が存在しない場合に、被検査部に対応するＰＴＰシート１を良と判定する。
【００８５】
また、ＰＴＰ包装機１１は、上記各種装置のほか、主制御装置５１及びディスプレイ等からなる表示装置５２を備えている。
【００８６】
主制御装置５１は、処理実行装置６２と同様、いわゆるコンピュータシステムで構成されており、ＰＴＰ包装機１１を構成する各種装置の駆動制御などを司る。これらの駆動制御は、主制御装置５１のＲＯＭ等に事前に設定された設定データに基づき、主制御装置５１がＰＴＰ包装機１１内の各種装置に対し制御信号を出力することにより行われる。
【００８７】
また、主制御装置５１は、各検査装置Ｔ１，Ａと電気的に接続されており、各検査装置Ｔ１，Ａとの間で各種情報を送受信可能とされている。主制御装置５１は、各検査装置Ｔ１，Ａによる検査結果に基づき、不良品信号を不良シート排出機構４０へと出力することで、不良判定に係るＰＴＰシート１を排出させる。
【００８８】
また、主制御装置５１は、検査装置Ｔ１，Ａから属性情報及びチェック用情報の記憶された検査用画像データＤ１，Ｄ２を受信することができる。主制御装置５１は、受信した検査用画像データＤ１，Ｄ２における、予め設定された所定アドレスの情報を読み込むことで、属性情報に係るデータを抽出可能とされている。そして、主制御装置５１は、表示装置５２において、検査用画像Ｇ１，Ｇ２及び属性情報を表示させることが可能となっている。検査用画像Ｇ１，Ｇ２の表示は、一般の画像処理ソフトを用いて行われる。
【００８９】
さらに、主制御装置５１は、検査用画像Ｇ１，Ｇ２等の表示に際し、チェック用情報を用いた各画素のデータにおけるエラーのチェックを行い、エラーの有無に関する情報を検査用画像Ｇ１，Ｇ２等とともに表示装置５２にて表示させることができるようになっている。
【００９０】
以上詳述したように、本実施形態によれば、検査用画像データＤ１，Ｄ２に対し属性情報を含ませることができ、検査用画像データＤ１，Ｄ２及び属性情報を１つのファイルにまとめることができる。そのため、データ管理の簡略化や処理負担の軽減を図ることができる。
【００９１】
また、非検査対象領域ＴＢ１，ＴＢ２は、処理実行装置６２による良否判定の対象ではないため、この非検査対象領域ＴＢ１，ＴＢ２に対応する画素のデータを属性情報やチェック用情報に書き換えたとしても、その影響が検査に及んでしまったり、検査結果と検査用画像データＤ１，Ｄ２との整合が取れなくなってしまったりするといったことはない。さらに、ヘッダ情報ではなく、各画素のデータ、つまり、検査用画像データＤ１，Ｄ２の本体に当たるデータ（本体フィールドＭ１，Ｍ２のデータ）を書き換えるため、一般の画像処理ソフトを用いて検査用画像データＤ１，Ｄ２を処理することが可能となる。
【００９２】
また、シート部分ＳＰの検査を行う第二検査装置Ａは、検査用画像Ｇ２の四隅であって検査対象領域ＴＡ２における角部よりも外側の位置に、比較的広い非検査対象領域ＴＢ２が形成される点を利用して、当該非検査対象領域ＴＢ２に係る画素のデータを属性情報に書き換える。従って、検査用画像データＤ２において、属性情報を書き込むための記憶領域をより確実に一定位置に確保することができる。これにより、検査用画像Ｇ２の四隅に対応する、予め設定されたアドレスの一定の画素データ（記憶フィールドＲ２のデータ）を属性情報の書き込み対象とすることができる。すなわち、属性情報の書き込み対象を、検査対象領域ＴＡ２の占める範囲を特段考慮することなく設定するといったことが可能となる。また、主制御装置５１においては、予め設定された所定アドレスの情報を読み込むことで、予め設定された一定の書き込み対象から属性情報を読み込むことができる。従って、属性情報の書き込みや読み込みに係る処理などの簡素化を図ることができ、処理負担の軽減を効果的に図ることができる。
【００９３】
さらに、チェック用情報を利用することで、検査用画像データＤ１，Ｄ２における情報の信頼性をより確実に担保することができる。特に本実施形態では、非検査対象領域ＴＢ１，ＴＢ２に対応する一行分の各画素のデータが、当該画素と同じ列におけるデータのエラーをチェックするためのチェック用情報に書き換えられる。従って、各画素のデータを行ごと又は列ごとにチェックすることができる。これにより、検査用画像データにおける情報の信頼性をより一層確実に担保することができ、検査に係る信頼性をさらに向上させることができる。
【００９４】
尚、上記実施形態の記載内容に限定されず、例えば次のように実施してもよい。勿論、以下において例示しない他の応用例、変更例も当然可能である。
【００９５】
（ａ）上記実施形態では、容器フィルム３に対しカバーフィルム４を取着する前に検査を行う第一検査装置Ｔ１及び第二検査装置Ａに対し、本発明の技術思想が適用されているが、容器フィルム３に対しカバーフィルム４を取着した後に検査を行う検査装置に対し、本発明の技術思想を適用してもよい。勿論、完成品のＰＴＰシート１の検査を行うための検査装置に対し、本発明の技術思想を適用してもよい。さらに、ポケット部２への充填前に、錠剤５の検査を行うための検査装置に対し、本発明の技術思想を適用してもよい。
【００９６】
（ｂ）属性情報やチェック用情報は、検査用画像データＤ１，Ｄ２における非検査対象領域ＴＢ１，ＴＢ２に対応する画素のデータと書き換えられるように構成されていればよい。従って、上記実施形態で挙げた検査用画像Ｇ１，Ｇ２の右上や最下部に位置する非検査対象領域ＴＢ１，ＴＢ２以外の非検査対象領域ＴＢ１，ＴＢ２に対応する画素のデータを、属性情報やチェック用情報に書き換えてもよい。例えば、検査用画像Ｇ１，Ｇ２の左下に位置する非検査対象領域ＴＢ１，ＴＢ２に対応する画素のデータを属性情報に書き換えてもよい。
【００９７】
（ｃ）上記実施形態では、幅方向全域に亘る非検査対象領域ＴＢ１，ＴＢ２に対応する一行分の各画素のデータが、当該画素と同じ列に位置するその他の画素におけるデータのエラーをチェックするためのチェック用情報に書き換えられるように構成されている。これに対し、非検査対象領域ＴＢ１，ＴＢ２が高さ方向全域に亘る場合、当該被検査対象領域ＴＢ１，ＴＢ２に対応する一列分の各画素のデータを、当該画素と同じ行に位置するその他の画素におけるデータのエラーをチェックするためのチェック用情報に書き換えてもよい。この場合には、各画素のデータを行ごとにチェックすることができる。従って、上記実施形態と同様に、検査用画像データＤ１，Ｄ２における情報の信頼性をより一層確実に担保することができ、検査に係る信頼性をさらに向上させることができる。
【００９８】
また、一行分の各画素のデータ及び一列分の各画素のデータをそれぞれチェック用情報に書き換えることとしてもよい。この場合には、データエラーの発生している画素を特定することができる。従って、この画素のデータを除いたデータによる検査（エラーの影響を排除した上での検査）を行ったり、この画素の周囲に位置する画素のデータを利用してこの画素のデータエラーを修正したりするといったことが可能となる。
【００９９】
さらに、必ずしも一列分又は一行分の各画素のデータをチェック用情報に書き換える必要はなく、例えば、非検査対象領域ＴＢ１，ＴＢ２に対応する各画素のデータのうちのいずれかをチェック用情報に書き換えることとしてもよい。例えば、所定の１画素のデータを、その他の画素のデータを合計した値に基づくデータに書き換えることとしてもよい。
【０１００】
（ｄ）上記実施形態において、処理実行装置６２は、被検査部に対する良否判定結果のデータ等を記憶するための検査結果記憶装置６４や、検査によって不良と判定された検査内容、不良判定の日時などを記憶するための画像・検査条件記憶装置６６を備えているが、これら記憶装置６４，６６に記憶する情報を属性情報として検査用画像データＤ１，Ｄ２に書き込んでもよい。この場合には、これら記憶装置６４，６６を省略することができる。そのため、データ管理の簡略化や処理負担の軽減を一層図ることができるとともに、コストの低減を図ることができる。
【０１０１】
（ｅ）上記実施形態では、内容物が錠剤５である場合について具体化しているが、内容物はカプセル（医薬品や栄養食品等）などであってもよい。
【０１０２】
（ｆ）上記実施形態では、容器フィルム３がＰＰやＰＶＣ等の熱可塑性樹脂材料により形成され、カバーフィルム４がアルミニウム箔等を基材として形成されているが、各フィルム３，４の材料は、これらに限定されるものではなく、他の材質のものを採用してもよい。
【符号の説明】
【０１０３】
１…ＰＴＰシート、２…ポケット部、３…容器フィルム、４…カバーフィルム、５…錠剤（内容物）、１１…ＰＴＰ包装機、６０…照明装置（照射手段）、６１…カメラ（撮像手段）、６２…処理実行装置（良否判定手段、属性情報追加手段、チェック用情報追加手段）、Ｔ１…第一検査装置（検査装置）、Ａ…第二検査装置（検査装置）、Ｄ１，Ｄ２…検査用画像データ、Ｇ１，Ｇ２…検査用画像、ＴＡ１，ＴＡ２…検査対象領域、ＴＢ１，ＴＢ２…非検査対象領域。
【図１】
2018096700.tif 000003
【図２】
2018096700.tif 000004
【図３】
2018096700.tif 000005
【図４】
2018096700.tif 000006
【図５】
2018096700.tif 000007
【図６】
2018096700.tif 000008
【図７】
2018096700.tif 000009
【図８】
2018096700.tif 000010
【図９】
2018096700.tif 000011
【図１０】
2018096700.tif 000012
【図１１】
2018096700.tif 000013
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記撮像手段を用いて得られた、前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段と、
前記非検査対象領域に対応する各画素のデータの少なくとも一部を、前記検査用画像データにおける各画素のデータのエラーをチェックするためのチェック用情報に書き換えるチェック用情報追加手段とを具備することを特徴とする検査装置。
【請求項２】
前記検査用画像は矩形状をなしており、当該検査用画像において、前記非検査対象領域は、当該検査用画像の端に位置するとともに、当該検査用画像の高さ方向全域及び幅方向全域の少なくとも一方に延びる領域とされており、
前記チェック用情報追加手段は、
前記非検査対象領域が前記高さ方向全域に延びる場合、当該非検査対象領域に対応する一列分の画素のデータのそれぞれを、同じ行に位置するその他の各画素におけるデータのエラーをチェックするための前記チェック用情報に書き換えること、及び、前記非検査対象領域が前記幅方向全域に延びる場合、当該非検査対象領域に対応する一行分の画素のデータのそれぞれを、同じ列に位置するその他の各画素におけるデータのエラーをチェックするための前記チェック用情報に書き換えること
の少なくとも一方を行うように構成されていることを特徴とする請求項１に記載の検査装置。
【請求項３】
容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記良否判定手段による判定に際し、前記撮像手段を用いて得られた画像データのうち前記ポケット部や錠剤の位置に基づいて前記被検査部を特定する被検査部特定手段と、
前記被検査部特定手段により特定された前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段を具備することを特徴とする検査装置。
【請求項４】
前記検査用画像は矩形状をなしており、当該検査用画像において、前記検査対象領域は、角部が丸みを帯びた矩形状をなすとともに、前記非検査対象領域は、当該検査用画像の四隅であって当該検査対象領域における前記角部よりも外側に位置しており、
前記属性情報追加手段は、前記検査用画像の四隅に位置する前記非検査対象領域に対応する各画素のデータの少なくとも一部を、前記属性情報に書き換えることを特徴とする請求項１又は３に記載の検査装置。
【請求項５】
請求項１乃至４のいずれか１項に記載の検査装置を備えることを特徴とするＰＴＰ包装機。
【手続補正２】
【補正対象書類名】明細書
【補正対象項目名】全文
【補正方法】変更
【補正の内容】
【発明の詳細な説明】
【技術分野】
【０００１】
本発明は、ＰＴＰシート又は最終的にＰＴＰシートとなる部位の検査に用いられる検査装置、及び、当該検査装置を有するＰＴＰ包装機に関する。
【背景技術】
【０００２】
ＰＴＰシートは、錠剤やカプセル等の内容物が収容されるポケット部の形成された容器フィルムと、その容器フィルムに対しポケット部の開口側を密封するように取着されるカバーフィルムとを備えている。
【０００３】
ＰＴＰシートは、ＰＴＰ包装機により製造される。ＰＴＰ包装機は、帯状の容器フィルムに対しポケット部を形成するポケット部形成手段、ポケット部に内容物を充填する充填手段、容器フィルムに対しカバーフィルムを取着し、帯状のＰＴＰフィルムを得るシール手段、及び、ＰＴＰフィルムをシート単位に打抜き、ＰＴＰシートを得るシート打抜手段などを有する。
【０００４】
また、ＰＴＰシートの製造過程においては、容器フィルムの搬送経路に沿って検査装置が設けられる。検査装置によって、ＰＴＰシート又は最終的にＰＴＰシートとなる部位である被検査部（例えば、内容物や容器フィルム等）が検査される。検査装置は、被検査部に光を照射する照射手段、光の照射された被検査部を撮像する撮像手段、及び、良否判定手段を備えている。良否判定手段は、撮像手段を用いて得られた検査用画像データに基づき被検査部の良否を判定する。検査用画像データは、被検査部などの撮像画像（検査用画像）のデータであり、検査用画像データには、検査用画像の画素ごとのデータ（例えば、輝度データ）が含まれている。良否判定手段は、この画素ごとのデータに基づき欠陥の有無を検出することで、被検査部の良否を判定する。
【０００５】
さらに近年では、検査にて不良判定がなされた場合に、不良判定された被検査部に係る検査用画像データと、不良判定された検査項目や検査条件、検査日時などの検査に係る情報（属性情報）とを関連付けた上で記憶しておく手法が提案されている（例えば、特許文献１等参照）。
【０００６】
ところで、検査用画像データ及び属性情報を関連付けた上で記憶するにあたっては、通常、検査用画像データ及び属性情報を別々のファイルで記憶しておき、これらを関連付けるためのデータや処理を別途用意しておく必要がある。しかしながら、この場合には、検査用画像データ及び属性情報に係るファイルの数が非常に多くなってしまい、データ管理の煩雑化や処理負担の増大を招いてしまうおそれがある。
【０００７】
そこで、データ管理の簡略化や処理負担の軽減を図るべく、画像データの対応ピクセル（画素に係るデータ）に対し二次元コード情報を埋め込む技術（例えば、特許文献２等参照）を利用し、検査用画像データにおける画素のデータに対し属性情報を埋め込むことで、検査用画像データ及び属性情報を１つのファイルにまとめることが考えられる。
【先行技術文献】
【特許文献】
【０００８】
【特許文献１】特開２０１５−２００５９５号公報
【特許文献２】特開２０１１−１０１１３８号公報
【発明の概要】
【発明が解決しようとする課題】
【０００９】
しかしながら、検査用画像データにおける画素のデータに対し属性情報を単に埋め込んでしまうと、検査用画像データにおける各画素のデータに変化が生じてしまう。各画素のデータに変化が生じてしまうと、その影響が検査に及んでしまったり、検査結果と検査用画像データとの整合が取れなくなってしまったりするおそれがある。
【００１０】
これに対し、検査用画像データのヘッダ情報に対し属性情報を書き込むことで、検査用画像データに対し属性情報を含ませることが考えられる。しかしながら、一般の画像処理ソフトを用いて検査用画像データの処理（画像の表示や編集など）を行うためには、検査用画像データが一定のフォーマットに従って作成されている必要がある。そのため、ヘッダ情報に対し属性情報を書き込んでしまうと、一般の画像処理ソフトを用いた検査用画像データの処理に支障が生じてしまうおそれがある。
【００１１】
本発明は、上記事情に鑑みてなされたものであり、その目的は、検査に影響が及んでしまうこと等を防止できるとともに、一般の画像処理ソフトを用いた処理を可能としつつ、検査用画像データに対し属性情報を含ませることができ、データ管理の簡略化や処理負担の軽減を図ることができる検査装置及びＰＴＰ包装機を提供することにある。
【課題を解決するための手段】
【００１２】
以下、上記目的を解決するのに適した各手段につき、項分けして説明する。なお、必要に応じて対応する手段に特有の作用効果を付記する。
【００１３】
手段１．容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記撮像手段を用いて得られた、前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段と、
前記非検査対象領域に対応する各画素のデータの少なくとも一部を、前記検査用画像データにおける各画素のデータのエラーをチェックするためのチェック用情報に書き換えるチェック用情報追加手段とを具備することを特徴とする検査装置。
【００１４】
尚、「属性情報」としては、例えば、検査装置において行われる検査の種類、検査の日時、ＰＴＰシートや内容物の通し番号（撮像順を示す番号）、検査用画像データがカラー又はモノクロであることを示す情報、検査結果に関する情報、シート部分（容器フィルムなどにおける最終的にＰＴＰシートとなる部分）の位置追従情報（シート部分の位置ずれ補正量）や明るさの補正量などの各種補正に係る情報、シート部分における内容物の位置情報、撮像手段の制御に係る情報（例えば、ゲインなど）、再検査に必要な情報（例えば、二値化処理に用いた閾値など）、及び、内容物や容器フィルム等の品種に関する情報などを挙げることができる。
【００１５】
上記手段１によれば、検査用画像データに対し属性情報を含ませることができ、検査用画像データ及び属性情報を１つのファイルにまとめることができる。そのため、データ管理の簡略化や処理負担の軽減を図ることができる。
【００１６】
また、上記手段１によれば、検査用画像データのうち非検査対象領域に対応する各画素のデータ（例えば、輝度データ）が、属性情報に書き換えられる。ここで、非検査対象領域は、良否判定手段による判定の対象ではないため、この非検査対象領域に対応する画素のデータを書き換えたとしても、その影響が検査に及んでしまったり、検査結果と検査用画像データとの整合が取れなくなってしまったりするといったことはない。また、ヘッダ情報ではなく、各画素のデータ、つまり、検査用画像データの本体に当たるデータを書き換えるため、一般の画像処理ソフトを用いて検査用画像データを処理することが可能となる。
【００１７】
また、上記手段１によれば、チェック用情報を利用することで、検査用画像データにおける情報の信頼性をより確実に担保することができる。その結果、検査に係る信頼性の向上を図ることができる。
【００１８】
また、非検査対象領域に係る画素のデータがチェック用情報に書き換えられるため、チェック用情報への書き換えに伴い、その影響が検査に及んでしまったり、検査結果と検査用画像データとの整合が取れなくなってしまったりするといった不具合が生じることはない。
【００１９】
手段２．前記検査用画像は矩形状をなしており、当該検査用画像において、前記非検査対象領域は、当該検査用画像の端に位置するとともに、当該検査用画像の高さ方向全域及び幅方向全域の少なくとも一方に延びる領域とされており、
前記チェック用情報追加手段は、
前記非検査対象領域が前記高さ方向全域に延びる場合、当該非検査対象領域に対応する一列分の画素のデータのそれぞれを、同じ行に位置するその他の各画素におけるデータのエラーをチェックするための前記チェック用情報に書き換えること、及び、前記非検査対象領域が前記幅方向全域に延びる場合、当該非検査対象領域に対応する一行分の画素のデータのそれぞれを、同じ列に位置するその他の各画素におけるデータのエラーをチェックするための前記チェック用情報に書き換えること
の少なくとも一方を行うように構成されていることを特徴とする手段１に記載の検査装置。
【００２０】
上記手段２によれば、非検査対象領域に対応する一行分や一列分の各画素のデータが、当該画素と同じ列や同じ行におけるデータのエラーをチェックするためのチェック用情報に書き換えられる。従って、各画素のデータを行ごと又は列ごとにチェックすることができる。これにより、検査用画像データにおける情報の信頼性をより一層確実に担保することができ、検査に係る信頼性をさらに向上させることができる。
【００２１】
手段３．容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記良否判定手段による判定に際し、前記撮像手段を用いて得られた画像データのうち前記ポケット部や錠剤の位置に基づいて前記被検査部を特定する被検査部特定手段と、
前記被検査部特定手段により特定された前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段を具備することを特徴とする検査装置。
【００２２】
手段４．前記検査用画像は矩形状をなしており、当該検査用画像において、前記検査対象領域は、角部が丸みを帯びた矩形状をなすとともに、前記非検査対象領域は、当該検査用画像の四隅であって当該検査対象領域における前記角部よりも外側に位置しており、
前記属性情報追加手段は、前記検査用画像の四隅に位置する前記非検査対象領域に対応する各画素のデータの少なくとも一部を、前記属性情報に書き換えることを特徴とする手段１又は３に記載の検査装置。
【００２３】
ＰＴＰシートは、平面視したときに、角部が丸みを帯びた矩形状であることが多い。そのため、検査対象領域を、角部が丸みを帯びた矩形状とすることが多い。
【００２４】
一方、検査用画像は、通常、矩形状をなすものとされる。従って、検査用画像の四隅であって検査対象領域における角部よりも外側の位置には、比較的広い非検査対象領域が形成されることが多い。
【００２５】
この点を利用して、上記手段４によれば、検査用画像の四隅に位置する非検査対象領域に係る画素のデータが、属性情報に書き換えられる。従って、検査用画像データにおいて、属性情報を書き込むための記憶領域をより確実に一定位置に確保することができる。これにより、例えば、検査用画像の四隅に対応する予め設定された一定の画素データを属性情報の書き込み対象とするといった処理を行うことができる。すなわち、属性情報の書き込み対象を、検査対象領域の占める範囲を特段考慮することなく設定するといったことが可能となる。また、属性情報の読み込み処理として、予め設定された一定の書き込み対象から情報を読み込むといった処理を採用することができる。従って、属性情報の書き込みや読み込みに係る処理などの簡素化を図ることができ、処理負担の軽減を効果的に図ることができる。
【００２６】
手段５．手段１乃至４のいずれかに記載の検査装置を備えることを特徴とするＰＴＰ包装機。
【００２７】
上記手段５によれば、基本的には上記手段１等と同様の作用効果が奏されることとなる。
【図面の簡単な説明】
【００２８】
【図１】ＰＴＰシートの斜視図である。
【図２】ＰＴＰシートの一部破断拡大正面図である。
【図３】ＰＴＰフィルムの斜視図である。
【図４】ＰＴＰ包装機の概略構成を示す模式図である。
【図５】第一検査装置及び第二検査装置の電気的構成を示すブロック図である。
【図６】シート部分の通し番号を説明するための模式図である。
【図７】第一検査装置にて記憶される検査用画像データを示す図である。
【図８】第一検査装置における検査用画像を示す模式図である。
【図９】第二検査装置における検査用画像データの取得手法を説明するための模式図である。
【図１０】第二検査装置にて記憶される検査用画像データを示す図である。
【図１１】第二検査装置における検査用画像を示す模式図である。
【発明を実施するための形態】
【００２９】
以下、一実施形態について図面を参照しつつ説明する。
【００３０】
まず、ＰＴＰシート１について説明する。図１及び図２に示すように、ＰＴＰシート１は、複数のポケット部２を備えた容器フィルム３と、ポケット部２を塞ぐようにして容器フィルム３に取着されたカバーフィルム４とを有している。
【００３１】
容器フィルム３は、例えば、ＰＰ（ポリプロピレン）やＰＶＣ（ポリ塩化ビニル）等の比較的硬質で所定の剛性を有する透明又は半透明の熱可塑性樹脂材料によって構成されている。カバーフィルム４は、例えばポリエステル樹脂等からなるシーラントが表面に塗布された不透明材料（例えば、アルミニウム箔等）により構成されている。
【００３２】
ＰＴＰシート１は、角部が丸みを帯びた矩形状をなしており、シート長手方向に沿って配列された５個のポケット部２からなるポケット列が、シート短手方向に２列形成されている。つまり、計１０個のポケット部２が形成されている。各ポケット部２には、内容物としての錠剤５が１つずつ収容されている。
【００３３】
ＰＴＰシート１は、帯状の容器フィルム３及びカバーフィルム４から形成された帯状のＰＴＰフィルム６（図３参照）が打抜かれることで、シート状に製造される。
【００３４】
次に、上記ＰＴＰシート１を製造するためのＰＴＰ包装機１１の概略について図４を参照して説明する。
【００３５】
ＰＴＰ包装機１１の最上流側では、帯状の容器フィルム３の原反がロール状に巻回されている。ロール状に巻回された容器フィルム３の引出し端側は、ガイドロール１３に案内されている。容器フィルム３は、ガイドロール１３の下流側において間欠送りロール１４に掛装されている。間欠送りロール１４は、間欠的に回転するモータに連結されており、容器フィルム３を間欠的に搬送する。
【００３６】
ガイドロール１３と間欠送りロール１４との間には、容器フィルム３の搬送経路に沿って、加熱装置１５及びポケット部形成装置１６が順に配設されている。そして、加熱装置１５によって容器フィルム３が加熱されて該容器フィルム３が比較的柔軟になった状態において、ポケット部形成装置１６によって容器フィルム３の所定位置に複数のポケット部２が成形される。ポケット部２の成形は、間欠送りロール１４による容器フィルム３の搬送動作間のインターバルの際に行われる。
【００３７】
間欠送りロール１４から送り出された容器フィルム３は、テンションロール１８、ガイドロール１９及びフィルム受けロール２０の順に掛装されている。フィルム受けロール２０は、一定回転するモータに連結されているため、容器フィルム３を連続的に且つ一定速度で搬送する。テンションロール１８は、容器フィルム３を弾性力によって緊張する側へ引っ張った状態とされており、前記間欠送りロール１４とフィルム受けロール２０との搬送動作の相違による容器フィルム３の弛みを防止して容器フィルム３を常時緊張状態に保持する。
【００３８】
ガイドロール１９とフィルム受けロール２０との間には、容器フィルム３の搬送経路に沿って、錠剤充填装置２１が配設されている。錠剤充填装置２１は、ポケット部２に錠剤５を自動的に充填する充填手段としての機能を有する。錠剤充填装置２１は、フィルム受けロール２０による容器フィルム３の搬送動作と同期して、所定間隔毎にシャッタを開くことで錠剤５を落下させるものであり、このシャッタ開放動作に伴って各ポケット部２に錠剤５が充填される。
【００３９】
さらに、錠剤充填装置２１とフィルム受けロール２０との間には、シール前検査部２２が設けられている。シール前検査部２２には、上流側より順に、それぞれ検査装置としての第一検査装置Ｔ１及び第二検査装置Ａが設けられている。これら各検査装置Ｔ１，Ａにより、錠剤５や容器フィルム３（シート部分）に関する欠陥の有無が検査される。各検査装置Ｔ１，Ａのより詳細な構成に関しては後述する。
【００４０】
一方、帯状に形成されたカバーフィルム４の原反は、最上流側においてロール状に巻回されている。
【００４１】
ロール状に巻回されたカバーフィルム４の引出し端は、ガイドロール２４によって加熱ロール２５の方へと案内されている。加熱ロール２５は、前記フィルム受けロール２０に圧接可能となっており、両ロール２０，２５間に容器フィルム３及びカバーフィルム４が送り込まれるようになっている。そして、容器フィルム３及びカバーフィルム４が、両ロール２０，２５間を加熱圧接状態で通過することで、容器フィルム３にカバーフィルム４が貼着され、ポケット部２がカバーフィルム４で塞がれる。これにより、錠剤５が各ポケット部２に充填されたＰＴＰフィルム６が製造される。
【００４２】
フィルム受けロール２０から送り出されたＰＴＰフィルム６は、テンションロール２７及び間欠送りロール２８の順に掛装されている。間欠送りロール２８は、間欠的に回転するモータに連結されているため、ＰＴＰフィルム６を間欠的に搬送する。テンションロール２７は、ＰＴＰフィルム６を弾性力によって緊張する側へ引っ張った状態とされており、前記フィルム受けロール２０と間欠送りロール２８との搬送動作の相違によるＰＴＰフィルム６の弛みを防止してＰＴＰフィルム６を常時緊張状態に保持する。
【００４３】
間欠送りロール２８から送り出されたＰＴＰフィルム６は、テンションロール３１及び間欠送りロール３２の順に掛装されている。間欠送りロール３２は、間欠的に回転するモータに連結されているため、ＰＴＰフィルム６を間欠的に搬送する。テンションロール３１は、ＰＴＰフィルム６を弾性力によって緊張する側へ引っ張った状態とされており、前記間欠送りロール２８，３２間でのＰＴＰフィルム６の弛みを防止する。
【００４４】
間欠送りロール２８とテンションロール３１との間には、ＰＴＰフィルム６の搬送経路に沿って、スリット形成装置３３及び刻印装置３４が順に配設されている。スリット形成装置３３は、ＰＴＰフィルム６の所定位置に切離用スリットを形成する機能を有する。刻印装置３４は、ＰＴＰフィルム６の所定位置（例えばタグ部）に刻印を付す機能を有する。
【００４５】
間欠送りロール３２から送り出されたＰＴＰフィルム６は、その下流側においてテンションロール３５及び連続送りロール３６の順に掛装されている。間欠送りロール３２とテンションロール３５との間には、ＰＴＰフィルム６の搬送経路に沿って、シート打抜装置３７が配設されている。シート打抜装置３７は、ＰＴＰフィルム６をＰＴＰシート１単位にその外縁を打抜く機能を有する。
【００４６】
シート打抜装置３７によって打抜かれたＰＴＰシート１は、取出しコンベア３８によって搬送され、完成品用ホッパ３９に一旦貯留される。尚、各検査装置Ｔ１，Ａのいずれかによって不良判定された場合、取出しコンベア３８の搬送経路に沿って設けられた不良シート排出機構４０に不良品信号が送られる。これにより、不良判定されたＰＴＰシート１は、不良シート排出機構４０によって別途排出され、図示しない不良品ホッパに移送される。
【００４７】
前記連続送りロール３６の下流側には、裁断装置４１が配設されている。そして、シート打抜装置３７による打抜き後に帯状に残った残材部（スクラップ部）を構成する不要フィルム部４２は、前記テンションロール３５及び連続送りロール３６に案内された後、裁断装置４１に導かれる。尚、前記連続送りロール３６は従動ロールが圧接されており、前記不要フィルム部４２を挟持しながら搬送動作を行う。裁断装置４１は、不要フィルム部４２を所定寸法に裁断しスクラップ処理する機能を有する。このスクラップはスクラップ用ホッパ４３に貯留された後、別途廃棄処理される。
【００４８】
尚、上記各ロール１４，１９，２０，２８，３１，３２などは、そのロール表面とポケット部２とが対向する位置関係となっているが、各ロール１４等の表面には、ポケット部２が収容される凹部が形成されているため、基本的には、ポケット部２が潰れてしまうことがない。また、ポケット部２が各ロール１４等の凹部に収容されながら送り動作が行われることで、間欠送り動作や連続送り動作が確実に行われる。
【００４９】
次いで、第一検査装置Ｔ１及び第二検査装置Ａの具体的な構成について図５を参照しつつ説明する。
【００５０】
第一検査装置Ｔ１は、シール前に容器フィルム３のポケット部２突出部側（錠剤５の表面側）から検査を行う透過光式の検査装置である。第一検査装置Ｔ１は、錠剤５における欠陥の有無を検査する。
【００５１】
第二検査装置Ａは、シール前に容器フィルム３のポケット部２突出部側及び開口部側（錠剤５の表裏面側）から検査を行う透過光式及び反射光式の両機能を備えた検査装置である。第二検査装置Ａは、錠剤５や容器フィルム３（シート部分）における欠陥の有無を検査する。
【００５２】
また、各検査装置Ｔ１，Ａは、それぞれ照射手段としての照明装置６０、撮像手段としてのカメラ６１、及び、良否判定手段としての処理実行装置６２を備えている。
【００５３】
照明装置６０は、ポケット部２の開口部側又は突出部側から、錠剤５及び容器フィルム３のうち最終的にＰＴＰシート１となる部位に対し所定の光を照射する。本実施形態では、錠剤５及び容器フィルム３における最終的にＰＴＰシート１となる部位が、被検査部に相当する。
【００５４】
第一検査装置Ｔ１の照明装置６０は、容器フィルム３のポケット部２開口部側に配置されており、近赤外光を照射する。第二検査装置Ａの照明装置６０は、容器フィルム３のポケット部２突出部側及び開口部側に１つずつ配置されており、可視光を照射する。
【００５５】
カメラ６１は、照明装置６０から照射される光の波長領域に感度を有するものである。
【００５６】
第一検査装置Ｔ１のカメラ６１としては、近赤外光に感度を有するＣＣＤカメラが採用されている。第一検査装置Ｔ１のカメラ６１は、容器フィルム３のポケット部２突出部側に設けられており、照明装置６０から照射される光（近赤外光）のうち、容器フィルム３を透過した光を撮像する。
【００５７】
一方、第二検査装置Ａのカメラ６１としては、色識別可能なカラーＣＣＤカメラが採用されている。第二検査装置Ａのカメラ６１は、容器フィルム３のポケット部２開口部側に２つ設けられている。そして、ポケット部２突出部側の照明装置６０から照射される光のうち、容器フィルム３を透過した光が一方のカメラ６１により二次元撮像され、ポケット部２開口部側の照明装置６０から照射される光のうち、錠剤５に反射した光が他方のカメラ６１（カラーＣＣＤカメラ）により二次元撮像される構成となっている。
【００５８】
そして、カメラ６１によって得られた一次画像データ（輝度画像データ又はカラー画像データ）は、処理実行装置６２に入力される。処理実行装置６２は、演算手段としてのＣＰＵや、各種プログラムを記憶するＲＯＭ、演算データや入出力データなどの各種データを一時的に記憶するＲＡＭなどを備えた、いわゆるコンピュータシステムとして構成されている。処理実行装置６２は、画像メモリ６３、検査結果記憶装置６４、判定用メモリ６５、画像・検査条件記憶装置６６、カメラタイミング制御装置６７、及び、ＣＰＵ及び入出力インターフェース６８を備えている。
【００５９】
画像メモリ６３は、カメラ６１によって撮像された一次画像データなどを記憶する。この画像メモリ６３に記憶されたデータに基づいて検査が実行される。勿論、検査の実行に際し、データに対し画像処理を施してもよい。例えばマスキング処理や、シェーディング補正などの処理を施すことが考えられる。シェーディング補正は、容器フィルム３等の撮像範囲全体を照明装置６０の光で均一に照らすことは技術的に限界があることから、位置の相違により生じる光の明度のばらつきを補正するためのものである。尚、一次画像データから被検査部等を矩形状に切り出して得た後述する検査用画像データや、二値化処理を行うことで得た二値化画像データ、マスキング処理を行うことで得たマスキング画像データなども画像メモリ６３に記憶される。
【００６０】
検査結果記憶装置６４は、画像に関する座標等のデータ、被検査部に対する良否判定結果のデータ、及び、該データを確率統計的に処理した統計データなどを記憶するものである。これらの良否判定結果のデータや統計データは、後述する表示装置５２にて表示させることができるようになっている。
【００６１】
判定用メモリ６５は、検査に用いられる判定値（閾値等）を記憶するものである。判定値は、検査内容毎に設定される。検査に用いられる判定値には、例えばＰＴＰシート１やポケット部２、錠剤５などの寸法、各種検査領域を画定するための各種ウインドウ枠の形状や寸法、二値化処理に係る輝度閾値、面積判定に係る判定値、色識別検査に係る色基準値などが含まれる。判定値の中には、錠剤面積値を検査するための判定値など、過去の検査で良品と判定されたものについての検査計測結果を統計して決定される判定値もある。
【００６２】
画像・検査条件記憶装置６６は、例えば、ハードディスク装置により構成されている。画像・検査条件記憶装置６６には、検査によって不良と判定された検査内容、不良判定の日時、画像データ、検査に用いられた検査条件などが記憶される。
【００６３】
カメラタイミング制御装置６７は、カメラ６１の撮像タイミングを制御する。かかる撮像タイミングはＰＴＰ包装機１１に設けられた図示しないエンコーダからの信号に基づいて制御され、容器フィルム３を所定量送るごとにカメラ６１による撮像が行われる。
【００６４】
ＣＰＵ及び入出力インターフェース６８は、検査装置Ｔ１，Ａにおける各種制御を司る。ＣＰＵ及び入出力インターフェース６８は、錠剤５及び容器フィルム３に対する検査処理などの各種処理プログラムを判定用メモリ６５の記憶内容などを使用しつつ実行する。
【００６５】
さらに、ＣＰＵ及び入出力インターフェース６８は、図６に示すように、一次画像データにおけるポケット部２や錠剤５の位置に基づいて、容器フィルム３のうち最終的にＰＴＰシート１となる部位（シート部分ＳＰ）を特定する。シート部分ＳＰは、ＰＴＰシート１と同様に角部が丸みを帯びた矩形状をなしている。そして、特定されたシート部分ＳＰに対し、搬送順序に従った通し番号ＬＡ１，ＬＢ１，ＬＡ２，ＬＢ２，ＬＡ３，ＬＢ３…を設定する。通し番号は、搬送方向上流側に向けて１つずつ増大していく態様となる。また、各錠剤５に対してもそれぞれ通し番号が設定される。
【００６６】
上述した各検査装置Ｔ１，Ａは、所定の検査用画像データを得た上で、当該検査用画像データに基づき検査を行う。また、各検査装置Ｔ１，Ａは、得られた検査用画像データの一部を後述する属性情報などに書き換える処理を行う。
【００６７】
次いで、検査用画像データの取得手法、及び、当該検査用画像データを用いて得られる検査用画像の態様について説明する。検査用画像データ及び検査用画像は各検査装置Ｔ１，Ａで異なる。まず、第一検査装置Ｔ１に係るこれらについて説明する。
【００６８】
第一検査装置Ｔ１は、検査用画像データを取得する際に、まず、処理実行装置６２によって、一次画像データにおける錠剤５の存在領域を特定する。これは、一次画像データから得られるポケット部２等の位置に基づいて行われる。そして、一次画像データから少なくとも錠剤５及びその周辺に対応する一定のデータを抽出することで、検査用画像データＤ１を取得する。この検査用画像データＤ１は、図７に示すように、ヘッダ情報を記憶するためのヘッダフィールドＨ１と、当該ヘッダフィールドＨ１に続き、各画素の輝度値を記憶するための本体フィールドＭ１とを備えている。前記本体フィールドＭ１において、各画素の輝度値は、例えば８ｂｉｔで表されている。検査用画像データＤ１は、錠剤５ごとに得られ、各検査用画像データＤ１は、それぞれ１つのファイルで画像メモリ６３に記憶される。
【００６９】
また、検査用画像データＤ１によって示される検査用画像Ｇ１は、図８に示すように、矩形状をなしており、錠剤５の占める範囲に対応する検査対象領域ＴＡ１と、それ以外の範囲に対応する非検査対象領域ＴＢ１（散点模様を付した部分）とが存在している。検査対象領域ＴＡ１は、第一検査装置Ｔ１の処理実行装置６２による良否判定の対象となる領域であり、非検査対象領域ＴＢ１は、良否判定の対象とならない領域である。検査用画像データＤ１には、検査対象領域ＴＡ１に対応する各画素のデータと、非検査対象領域ＴＢ１に対応する各画素のデータとが含まれている。さらに、非検査対象領域ＴＢ１は、検査用画像Ｇ１の端に位置し、検査用画像Ｇ１の高さ方向全域及び幅方向全域に亘る領域とされている。
【００７０】
次いで、第二検査装置Ａに係る、検査用画像データの取得手法、及び、当該検査用画像データを用いて得られる検査用画像の態様について説明する。
【００７１】
第二検査装置Ａは、検査用画像データを取得する際に、まず、処理実行装置６２によって、図９に示すように、容器フィルム３における最終的にＰＴＰシート１となる領域（シート部分ＳＰ）を特定する。これは、一次画像データにおけるポケット部２や錠剤５の位置に基づき行われる。そして、一次画像データにおいて、予め設定されたウィンドウ枠Ｗ内の所定位置に前記シート部分ＳＰが配置されるようにシート部分ＳＰの位置を補正する。シート部分ＳＰの位置ずれ補正量が、後述するシート部分ＳＰの位置追従情報である。その上で、一次画像データから、ウインドウＷ内に位置する部分に対応するデータを抽出することで、検査用画像データＤ２を取得する。
【００７２】
検査用画像データＤ２は、図１０に示すように、ヘッダ情報を記憶するためのヘッダフィールドＨ２と、当該ヘッダフィールドＨ２に続き、各画素におけるＲＧＢ成分の値を記憶するための本体フィールドＭ２とを備えている。本体フィールドＭ２において、ＲＧＢ成分の値は、成分ごとに例えば８ｂｉｔで表されている。検査用画像データＤ２は、シート部分ＳＰごとに得られ、各検査用画像データＤ２は、それぞれ１つのファイルで画像メモリ６３に記憶される。
【００７３】
また、検査用画像データＤ２によって示される検査用画像Ｇ２は、図１１に示すように、矩形状をなしており、シート部分ＳＰの占める範囲に対応する検査対象領域ＴＡ２と、それ以外の範囲に対応する非検査対象領域ＴＢ２（散点模様を付した部分）とが存在している。検査対象領域ＴＡ２は、第二検査装置Ａの処理実行装置６２による良否判定の対象となる領域であり、非検査対象領域ＴＢ２は、良否判定の対象とならない領域である。検査用画像データＤ２には、検査対象領域ＴＡ２に対応する各画素のデータと、非検査対象領域ＴＢ２に対応する各画素のデータとが含まれている。
【００７４】
加えて、非検査対象領域ＴＢは、検査用画像Ｇ２の四隅であって検査対象領域ＴＡ２における丸みを帯びた角部よりも外側に位置している。また、非検査対象領域ＴＢ２は、検査用画像Ｇ２の端に位置し、検査用画像Ｇ２の高さ方向全域及び幅方向全域に亘る領域とされている。
【００７５】
さらに、各検査装置Ｔ１，Ａの処理実行装置６２は、検査用画像データＤ１，Ｄ２における非検査対象領域ＴＢ１，ＴＢに対応する各画素のデータの少なくとも一部を、所定の属性情報に書き換える。すなわち、各検査装置Ｔ１，Ａの処理実行装置６２は、それぞれ属性情報追加手段に相当する。本実施形態において、属性情報への書き換えは、後述する検査処理の後に行われる。勿論、検査処理の前に、属性情報への書き換えを行ってもよい。
【００７６】
まず、第一検査装置Ｔ１における属性情報への書き換え処理について説明する。第一検査装置Ｔ１では、検査用画像データＤ１における所定の記憶フィールドＲ１（図７参照）のアドレスに関する情報が予め設定されている。この記憶フィールドＲ１は、属性情報の書き込み対象である。本実施形態において、記憶フィールドＲ１には、非検査対象領域ＴＢ１のうち、検査用画像Ｇ１の右上に位置する属性情報領域Ｚ１（図８参照）に対応する画素のデータが記憶されている。そして、第一検査装置Ｔ１の処理実行装置６２は、記憶フィールドＲ１における所定数の画素のデータを属性情報に書き換える。
【００７７】
次いで、第二検査装置Ａにおける属性情報への書き換え処理について説明する。第二検査装置Ａには、検査用画像データＤ２における所定の記憶フィールドＲ２（図１０参照）のアドレスに関する情報が予め入力されている。この記憶フィールドＲ２は、属性情報の書き込み対象である。本実施形態において、記憶フィールドＲ２には、非検査対象領域ＴＢ２のうち、検査用画像Ｇ２の右上であって検査対象領域ＴＡ２における丸みを帯びた角部よりも外側に位置する属性情報領域Ｚ２（図１１参照）に対応する画素のデータが記憶されている。そして、第二検査装置Ａの処理実行装置６２は、記憶フィールドＲ２における所定数の画素のデータを属性情報に書き換える。尚、属性情報に書き換えられるデータ数は、適宜変更可能である。
【００７８】
属性情報としては、例えば、各検査装置Ｔ１，Ａにおいて行われる検査の種類、検査の日時、シート部分ＳＰ（ＰＴＰシート１）や錠剤５の通し番号、検査用画像データＤ１，Ｄ２がカラー又はモノクロであることを示す情報、検査結果に関する情報、シート部分ＳＰの位置追従情報や明るさの補正量などの各種補正に係る情報、シート部分ＳＰにおける錠剤５の位置情報、カメラ６１の制御に係る情報（例えば、ゲインなど）、再検査に必要な情報（例えば、二値化処理に用いた輝度閾値など）、及び、錠剤５や容器フィルム３等の品種に関する情報などを挙げることができる。本実施形態では、属性情報として、検査の種類、検査の日時、及び、シート部分ＳＰ又は錠剤５の通し番号が記憶されるようになっている。
【００７９】
さらに、各検査装置Ｔ１，Ａの処理実行装置６２は、非検査対象領域ＴＢ１，ＴＢ２に対応する各画素のデータの少なくとも一部を、検査用画像データＤ１，Ｄ２における各画素のデータのエラーをチェックするためのチェック用情報に書き換える。すなわち、各検査装置Ｔ１，Ａの処理実行装置６２は、それぞれチェック用情報追加手段に相当する。本実施形態において、チェック用情報への書き換えは、後述する検査処理の後に行われる。勿論、検査処理の前に、チェック用情報への書き換えを行ってもよい。
【００８０】
チェック用情報への書き換えに関し説明すると、各検査装置Ｔ１，Ａでは、検査用画像データＤ１，Ｄ２における所定のチェック用情報記憶フィールドＣ１，Ｃ２（図７，１０参照）のアドレスに関する情報が予め設定されている。チェック用情報記憶フィールドＣ１，Ｃ２は、チェック用情報の書き込み対象である。チェック用情報記憶フィールドＣ１，Ｃ２には、チェック用領域Ｙ１，Ｙ２（図８，１１参照）に対応する画素のデータが記憶されている。本実施形態において、チェック用領域Ｙ１，Ｙ２は、非検査対象領域ＴＢ１，ＴＢ２のうち、検査用画像Ｇ１，Ｇ２の最下部に位置し検査用画像Ｇ１，Ｇ２の幅方向全域に亘る領域であって、一行分の画素に対応する領域とされている。そして、両検査装置Ｔ１，Ａの処理実行装置６２は、チェック用情報記憶フィールドＣ１，Ｃ２における一行分の画素のデータを、それぞれチェック用情報に書き換える。
【００８１】
チェック用情報は、チェックサムを行うための情報である。本実施形態において、チェック用情報は、チェック用情報記憶フィールドＣ１，Ｃ２のデータを除いた、各列における画素のデータ（輝度値）を合計した値の下二けたとされている。例えば、チェック用情報記憶フィールドＣ１におけるある画素のデータは、当該画素と同じ列に位置するその他の各画素におけるデータを合計した値の下二けたとされている。チェック用情報によって、各画素のデータを列ごとにチェックすることができる。尚、チェック用情報は、例えば、前記合計した値が偶数又は奇数であることを示す情報などであってもよい。
【００８２】
属性情報やチェック用情報への書き換えが完了した各検査用画像データＤ１，Ｄ２は、それぞれ１つのファイルで画像メモリ６３に記憶される。つまり、検査用画像データＤ１，Ｄ２、属性情報及びチェック用情報が、１つのファイルにまとめられた状態で画像メモリに記憶される。
【００８３】
さらに、各検査装置Ｔ１，Ａは、検査用画像データＤ１，Ｄ２に基づき、錠剤５や容器フィルム３の検査を行う。本実施形態において、検査に用いる検査用画像データＤ１，Ｄ２は、属性情報やチェック用情報への書き換え前のものであるが、書き換え後のものであっても何ら支障はない。
【００８４】
各検査装置Ｔ１，Ａの処理実行装置６２は、錠剤５や容器フィルム３に対する検査処理として、非検査対象領域ＴＢ１，ＴＢ２に対するマスキング処理、マスキング処理後に残った検査対象領域ＴＡ１，ＴＡ２に対する二値化処理、二値化処理により得られた二値化画像データに対する塊処理、及び、塊処理により得られた塊部分の数や面積、位置などに基づき欠陥部分の有無を判定する欠陥有無判定処理などを行う。そして、各検査装置Ｔ１，Ａの処理実行装置６２は、欠陥部分が存在していた場合に、被検査部に対応するＰＴＰシート１を不良と判定する。一方、各検査装置Ｔ１，Ａは、欠陥部分が存在しない場合に、被検査部に対応するＰＴＰシート１を良と判定する。
【００８５】
また、ＰＴＰ包装機１１は、上記各種装置のほか、主制御装置５１及びディスプレイ等からなる表示装置５２を備えている。
【００８６】
主制御装置５１は、処理実行装置６２と同様、いわゆるコンピュータシステムで構成されており、ＰＴＰ包装機１１を構成する各種装置の駆動制御などを司る。これらの駆動制御は、主制御装置５１のＲＯＭ等に事前に設定された設定データに基づき、主制御装置５１がＰＴＰ包装機１１内の各種装置に対し制御信号を出力することにより行われる。
【００８７】
また、主制御装置５１は、各検査装置Ｔ１，Ａと電気的に接続されており、各検査装置Ｔ１，Ａとの間で各種情報を送受信可能とされている。主制御装置５１は、各検査装置Ｔ１，Ａによる検査結果に基づき、不良品信号を不良シート排出機構４０へと出力することで、不良判定に係るＰＴＰシート１を排出させる。
【００８８】
また、主制御装置５１は、検査装置Ｔ１，Ａから属性情報及びチェック用情報の記憶された検査用画像データＤ１，Ｄ２を受信することができる。主制御装置５１は、受信した検査用画像データＤ１，Ｄ２における、予め設定された所定アドレスの情報を読み込むことで、属性情報に係るデータを抽出可能とされている。そして、主制御装置５１は、表示装置５２において、検査用画像Ｇ１，Ｇ２及び属性情報を表示させることが可能となっている。検査用画像Ｇ１，Ｇ２の表示は、一般の画像処理ソフトを用いて行われる。
【００８９】
さらに、主制御装置５１は、検査用画像Ｇ１，Ｇ２等の表示に際し、チェック用情報を用いた各画素のデータにおけるエラーのチェックを行い、エラーの有無に関する情報を検査用画像Ｇ１，Ｇ２等とともに表示装置５２にて表示させることができるようになっている。
【００９０】
以上詳述したように、本実施形態によれば、検査用画像データＤ１，Ｄ２に対し属性情報を含ませることができ、検査用画像データＤ１，Ｄ２及び属性情報を１つのファイルにまとめることができる。そのため、データ管理の簡略化や処理負担の軽減を図ることができる。
【００９１】
また、非検査対象領域ＴＢ１，ＴＢ２は、処理実行装置６２による良否判定の対象ではないため、この非検査対象領域ＴＢ１，ＴＢ２に対応する画素のデータを属性情報やチェック用情報に書き換えたとしても、その影響が検査に及んでしまったり、検査結果と検査用画像データＤ１，Ｄ２との整合が取れなくなってしまったりするといったことはない。さらに、ヘッダ情報ではなく、各画素のデータ、つまり、検査用画像データＤ１，Ｄ２の本体に当たるデータ（本体フィールドＭ１，Ｍ２のデータ）を書き換えるため、一般の画像処理ソフトを用いて検査用画像データＤ１，Ｄ２を処理することが可能となる。
【００９２】
また、シート部分ＳＰの検査を行う第二検査装置Ａは、検査用画像Ｇ２の四隅であって検査対象領域ＴＡ２における角部よりも外側の位置に、比較的広い非検査対象領域ＴＢ２が形成される点を利用して、当該非検査対象領域ＴＢ２に係る画素のデータを属性情報に書き換える。従って、検査用画像データＤ２において、属性情報を書き込むための記憶領域をより確実に一定位置に確保することができる。これにより、検査用画像Ｇ２の四隅に対応する、予め設定されたアドレスの一定の画素データ（記憶フィールドＲ２のデータ）を属性情報の書き込み対象とすることができる。すなわち、属性情報の書き込み対象を、検査対象領域ＴＡ２の占める範囲を特段考慮することなく設定するといったことが可能となる。また、主制御装置５１においては、予め設定された所定アドレスの情報を読み込むことで、予め設定された一定の書き込み対象から属性情報を読み込むことができる。従って、属性情報の書き込みや読み込みに係る処理などの簡素化を図ることができ、処理負担の軽減を効果的に図ることができる。
【００９３】
さらに、チェック用情報を利用することで、検査用画像データＤ１，Ｄ２における情報の信頼性をより確実に担保することができる。特に本実施形態では、非検査対象領域ＴＢ１，ＴＢ２に対応する一行分の各画素のデータが、当該画素と同じ列におけるデータのエラーをチェックするためのチェック用情報に書き換えられる。従って、各画素のデータを行ごと又は列ごとにチェックすることができる。これにより、検査用画像データにおける情報の信頼性をより一層確実に担保することができ、検査に係る信頼性をさらに向上させることができる。
【００９４】
尚、上記実施形態の記載内容に限定されず、例えば次のように実施してもよい。勿論、以下において例示しない他の応用例、変更例も当然可能である。
【００９５】
（ａ）上記実施形態では、容器フィルム３に対しカバーフィルム４を取着する前に検査を行う第一検査装置Ｔ１及び第二検査装置Ａに対し、本発明の技術思想が適用されているが、容器フィルム３に対しカバーフィルム４を取着した後に検査を行う検査装置に対し、本発明の技術思想を適用してもよい。勿論、完成品のＰＴＰシート１の検査を行うための検査装置に対し、本発明の技術思想を適用してもよい。さらに、ポケット部２への充填前に、錠剤５の検査を行うための検査装置に対し、本発明の技術思想を適用してもよい。
【００９６】
（ｂ）属性情報やチェック用情報は、検査用画像データＤ１，Ｄ２における非検査対象領域ＴＢ１，ＴＢ２に対応する画素のデータと書き換えられるように構成されていればよい。従って、上記実施形態で挙げた検査用画像Ｇ１，Ｇ２の右上や最下部に位置する非検査対象領域ＴＢ１，ＴＢ２以外の非検査対象領域ＴＢ１，ＴＢ２に対応する画素のデータを、属性情報やチェック用情報に書き換えてもよい。例えば、検査用画像Ｇ１，Ｇ２の左下に位置する非検査対象領域ＴＢ１，ＴＢ２に対応する画素のデータを属性情報に書き換えてもよい。
【００９７】
（ｃ）上記実施形態では、幅方向全域に亘る非検査対象領域ＴＢ１，ＴＢ２に対応する一行分の各画素のデータが、当該画素と同じ列に位置するその他の画素におけるデータのエラーをチェックするためのチェック用情報に書き換えられるように構成されている。これに対し、非検査対象領域ＴＢ１，ＴＢ２が高さ方向全域に亘る場合、当該被検査対象領域ＴＢ１，ＴＢ２に対応する一列分の各画素のデータを、当該画素と同じ行に位置するその他の画素におけるデータのエラーをチェックするためのチェック用情報に書き換えてもよい。この場合には、各画素のデータを行ごとにチェックすることができる。従って、上記実施形態と同様に、検査用画像データＤ１，Ｄ２における情報の信頼性をより一層確実に担保することができ、検査に係る信頼性をさらに向上させることができる。
【００９８】
また、一行分の各画素のデータ及び一列分の各画素のデータをそれぞれチェック用情報に書き換えることとしてもよい。この場合には、データエラーの発生している画素を特定することができる。従って、この画素のデータを除いたデータによる検査（エラーの影響を排除した上での検査）を行ったり、この画素の周囲に位置する画素のデータを利用してこの画素のデータエラーを修正したりするといったことが可能となる。
【００９９】
さらに、必ずしも一列分又は一行分の各画素のデータをチェック用情報に書き換える必要はなく、例えば、非検査対象領域ＴＢ１，ＴＢ２に対応する各画素のデータのうちのいずれかをチェック用情報に書き換えることとしてもよい。例えば、所定の１画素のデータを、その他の画素のデータを合計した値に基づくデータに書き換えることとしてもよい。
【０１００】
（ｄ）上記実施形態において、処理実行装置６２は、被検査部に対する良否判定結果のデータ等を記憶するための検査結果記憶装置６４や、検査によって不良と判定された検査内容、不良判定の日時などを記憶するための画像・検査条件記憶装置６６を備えているが、これら記憶装置６４，６６に記憶する情報を属性情報として検査用画像データＤ１，Ｄ２に書き込んでもよい。この場合には、これら記憶装置６４，６６を省略することができる。そのため、データ管理の簡略化や処理負担の軽減を一層図ることができるとともに、コストの低減を図ることができる。
【０１０１】
（ｅ）上記実施形態では、内容物が錠剤５である場合について具体化しているが、内容物はカプセル（医薬品や栄養食品等）などであってもよい。
【０１０２】
（ｆ）上記実施形態では、容器フィルム３がＰＰやＰＶＣ等の熱可塑性樹脂材料により形成され、カバーフィルム４がアルミニウム箔等を基材として形成されているが、各フィルム３，４の材料は、これらに限定されるものではなく、他の材質のものを採用してもよい。
【符号の説明】
【０１０３】
１…ＰＴＰシート、２…ポケット部、３…容器フィルム、４…カバーフィルム、５…錠剤（内容物）、１１…ＰＴＰ包装機、６０…照明装置（照射手段）、６１…カメラ（撮像手段）、６２…処理実行装置（良否判定手段、属性情報追加手段、チェック用情報追加手段）、Ｔ１…第一検査装置（検査装置）、Ａ…第二検査装置（検査装置）、Ｄ１，Ｄ２…検査用画像データ、Ｇ１，Ｇ２…検査用画像、ＴＡ１，ＴＡ２…検査対象領域、ＴＢ１，ＴＢ２…非検査対象領域。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記撮像手段を用いて得られた、前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段と、
前記非検査対象領域に対応する各画素のデータの少なくとも一部を、前記検査用画像データにおける各画素のデータのエラーをチェックするためのチェック用情報に書き換えるチェック用情報追加手段とを具備することを特徴とする検査装置。
【請求項２】
前記検査用画像は矩形状をなしており、当該検査用画像において、前記非検査対象領域は、当該検査用画像の端に位置するとともに、当該検査用画像の高さ方向全域及び幅方向全域の少なくとも一方に延びる領域とされており、
前記チェック用情報追加手段は、
前記非検査対象領域が前記高さ方向全域に延びる場合、当該非検査対象領域に対応する一列分の画素のデータのそれぞれを、同じ行に位置するその他の各画素におけるデータのエラーをチェックするための前記チェック用情報に書き換えること、及び、前記非検査対象領域が前記幅方向全域に延びる場合、当該非検査対象領域に対応する一行分の画素のデータのそれぞれを、同じ列に位置するその他の各画素におけるデータのエラーをチェックするための前記チェック用情報に書き換えること
の少なくとも一方を行うように構成されていることを特徴とする請求項１に記載の検査装置。
【請求項３】
容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記撮像手段を用いて得られた画像データのうち前記ポケット部や錠剤の位置に基づいて前記被検査部を特定する被検査部特定手段と、
前記被検査部特定手段により特定された前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段を具備することを特徴とする検査装置。
【請求項４】
前記検査用画像は矩形状をなしており、当該検査用画像において、前記検査対象領域は、角部が丸みを帯びた矩形状をなすとともに、前記非検査対象領域は、当該検査用画像の四隅であって当該検査対象領域における前記角部よりも外側に位置しており、
前記属性情報追加手段は、前記検査用画像の四隅に位置する前記非検査対象領域に対応する各画素のデータの少なくとも一部を、前記属性情報に書き換えることを特徴とする請求項１又は３に記載の検査装置。
【請求項５】
請求項１乃至４のいずれか１項に記載の検査装置を備えることを特徴とするＰＴＰ包装機。
【手続補正２】
【補正対象書類名】明細書
【補正対象項目名】００２１
【補正方法】変更
【補正の内容】
【００２１】
手段３．容器フィルムに形成されたポケット部に対し内容物が収容されるとともに、前記ポケット部を塞ぐように前記容器フィルムに対しカバーフィルムが取着されてなるＰＴＰシートの製造過程において、ＰＴＰシート又は最終的にＰＴＰシートとなる部位である被検査部の検査を行うための検査装置であって、
少なくとも前記被検査部に対し所定の光を照射する照射手段と、
前記照射手段から光の照射された前記被検査部及びその周辺部分を撮像可能な撮像手段と、
前記撮像手段を用いて得られた画像データのうち前記ポケット部や錠剤の位置に基づいて前記被検査部を特定する被検査部特定手段と、
前記被検査部特定手段により特定された前記被検査部に係る検査用画像のデータである検査用画像データに基づき、前記被検査部の良否を判定する良否判定手段とを備え、
前記検査用画像データは、前記良否判定手段による判定の対象となる検査対象領域に対応する各画素のデータと当該検査対象領域以外の領域である非検査対象領域に対応する各画素のデータとを含み、
前記非検査対象領域に対応する各画素のデータの少なくとも一部を、検査に関する属性情報に書き換える属性情報追加手段を具備することを特徴とする検査装置。